(57)【要約】【課題】光を画像に確実に当てることが可能な携帯端末装置を提供する。【解決手段】画像１５に光を照射し前記画像１５を読み取るスキャナを備えた携帯端末装置において、前記携帯端末装置の使用時に前記画像１５への前記光の照射方向の案内及び前記画像１５上における前記光の照射位置の案内となるカバー５を備え、前記カバー５の先端部を前記画像１５上に当接させた状態で前記携帯端末装置を使用することを特徴とする携帯端末装置。【選択図】図８
2010244138.tif 000002
【特許請求の範囲】
【請求項１】
画像に光を照射し前記画像を読み取るスキャナを備えた携帯端末装置において、前記携帯端末装置の使用時に前記画像への前記光の照射方向の案内及び前記画像上における前記光の照射位置の案内となるカバーを備え、前記カバーの先端部を前記画像上に当接させた状態で前記携帯端末装置を使用することを特徴とする携帯端末装置。
【請求項２】
前記携帯端末装置は表示部を更に備え、前記カバーは前記携帯端末装置の不使用時に前記表示部を保護する保護カバーとして機能するものであることを特徴とする請求項１に記載の携帯端末装置。
【請求項３】
前記表示部は液晶部を有し、前記カバーは前記携帯端末装置の不使用時に前記液晶部を保護する保護カバーとして機能するものであることを特徴とする請求項２に記載の携帯端末装置。
【請求項４】
前記光はレーザー光であり、前記スキャナは前記画像に前記レーザー光を照射し前記画像を読み取るレーザースキャナであることを特徴とする請求項２に記載の携帯端末装置。
【請求項５】
前記携帯端末装置の使用時に、前記レーザースキャナは前記画像に前記レーザー光を前記カバーの一平面に沿って照射することを特徴とする請求項４に記載の携帯端末装置。
【請求項６】
前記カバーは透明であり、前記レーザー光の照射状態を前記カバーを介して確認することが可能であることを特徴とする請求項５に記載の携帯端末装置。
【請求項７】
前記画像はバーコードであることを特徴とする請求項２に記載の携帯端末装置。
【請求項８】
前記携帯端末装置は表示部を更に備え、前記カバーは前記携帯端末装置の装置本体に回転可能に取り付けられ、前記カバーは前記携帯端末装置の不使用時に、前記カバーを前記装置本体に対して前記カバーが前記表示部を覆うように回転させることにより、前記表示部を保護する保護カバーとして機能するものであることを特徴とする請求項１に記載の携帯端末装置。
【請求項９】
前記表示部は液晶部を有し、前記カバーは前記携帯端末装置の不使用時に前記液晶部を保護する保護カバーとして機能するものであることを特徴とする請求項８に記載の携帯端末装置。
【請求項１０】
前記光はレーザー光であり、前記スキャナは前記画像に前記レーザー光を照射し前記画像を読み取るレーザースキャナであることを特徴とする請求項８に記載の携帯端末装置。
【請求項１１】
前記カバーは透明であり、前記レーザー光の照射状態を前記カバーを介して確認することが可能であることを特徴とする請求項１０に記載の携帯端末装置。
【請求項１２】
前記画像はバーコードであることを特徴とする請求項８に記載の携帯端末装置。
【発明の詳細な説明】
【技術分野】
【０００１】
本発明は、スキャナを備えた携帯端末装置に関する。
【背景技術】
【０００２】
国際公開ＷＯ２００３／０１９４６２号パンフレット（特許文献１）は、要約及び図１に、本体右側面に、バーコード等を読み取るためのレーザ式のスキャナが設けられた携帯端末装置（ハンドヘルドターミナル）を開示している。
【０００３】
特開２０００−９０１８８号公報（特許文献２）は、段落［００１１］及び図1に、携帯端末装置に差し込み可能な光学情報読取装置であって、筐体に設けた光通過窓を通じて記録票上のバーコードを光照射するための発光素子及び光照射されたバーコードからの反射光を光通過窓を通じて受光する受光素子を備えた光学情報読取装置を開示している。
【０００４】
特開２００１−３０７００７号公報（特許文献３）は、要約及び図1に、携帯端末装置の下側面に、レーザ光を取捨して印影、署名等を読み取るＣＣＤセンサ等からなるスキャナーが設けられた携帯端末装置を開示している。
【０００５】
店舗等での物品管理業務においては、一枚の用紙に縦、横方向に複数のバーコードが印刷されているシート（バーコードシート）を使用している。そして、バーコードにレーザー光を照射しバーコードを読み取るレーザースキャナを備えた携帯端末装置を使用し、バーコードシートから必要なバーコードの情報をレーザースキャナで読み取る。
【先行技術文献】
【特許文献】
【０００６】
【特許文献１】国際公開ＷＯ２００３／０１９４６２号パンフレット
【特許文献２】特開２０００−９０１８８号公報
【特許文献３】特開２００１−３０７００７号公報
【発明の概要】
【発明が解決しようとする課題】
【０００７】
しかしながら、従来の携帯端末装置では、バーコード（画像）へのレーザー光の照射方向及びバーコード（画像）上におけるレーザー光の位置が分かりづらく、バーコードシート上の間違ったバーコードの情報を読み取ってしまうケースがあった。
【０００８】
特に操作に慣れない初心者においては、従来の携帯端末では、レーザー光がどの方向に照射するのかは実際に照射してみないとわからないことがあった。上述のバーコードシート上において、携帯端末で必要なバーコード（画像）を狙うのは困難なため、携帯端末に内蔵されているレーザースキャナを使用しないで、別の手段で対応するケースもあった。例えば、携帯端末の外部インターフェイスに、バーコードをなぞると読み込むペンスキャナを接続してこのペンスキャナで対応するケースもあった。
【０００９】
本発明の目的は、画像に光を照射し前記画像を読み取るスキャナを備えた携帯端末装置において、前記光を前記画像に確実に当てることが可能な携帯端末装置を提供することにある。
【課題を解決するための手段】
【００１０】
本発明によれば、画像に光を照射し前記画像を読み取るスキャナを備えた携帯端末装置において、前記携帯端末装置の使用時に前記画像への前記光の照射方向の案内及び前記画像上における前記光の照射位置の案内となるカバーを備え、前記カバーの先端部を前記画像上に当接させた状態で前記携帯端末装置を使用することを特徴とする携帯端末装置が得られる。
【発明の効果】
【００１１】
本発明によれば、画像に光を照射し前記画像を読み取るスキャナを備えた携帯端末装置において、前記光を前記画像に確実に当てることが可能な携帯端末装置が得られる。
【図面の簡単な説明】
【００１２】
【図１】本発明の第１の実施形態による携帯端末装置の装置本体を説明するための斜視図である。
【図２】上記第１の実施形態による携帯端末装置のレーザースキャナを説明するための斜視図である。
【図３】上記第１の実施形態による携帯端末装置に用いられる液晶保護カバーを示した斜視図である。
【図４】上記第１の実施形態による携帯端末装置に用いられる液晶保護カバーを示した別の斜視図である。
【図５】上記第１の実施形態による携帯端末装置の不使用時の状態を示した斜視図である。
【図６】上記第１の実施形態による携帯端末装置の使用時の状態を示した斜視図である。
【図７】上記第１の実施形態による携帯端末装置の使用時の状態を示した別の斜視図である。
【図８】上記第１の実施形態による携帯端末装置の使用時の状態を説明するための斜視図である。
【図９】上記第１の実施形態による携帯端末装置の使用時の状態を説明するための別の斜視図である。
【図１０】上記第１の実施形態による携帯端末装置の使用時の状態を説明するための更に別の斜視図である。
【図１１】上記第１の実施形態による携帯端末装置の使用時の状態を説明するための側面図である。
【図１２】上記第１の実施形態による携帯端末装置の別の状態を示した斜視図である。
【図１３】上記第１の実施形態による携帯端末装置のレーザー光と液晶保護カバーとの関係を説明するための図である。
【図１４】本発明の第２の実施形態による携帯端末装置のレーザー光と液晶保護カバーとの関係を説明するための図である。
【図１５】本発明の第３の実施形態による携帯端末装置の不使用時の状態を説明するための図である。
【発明を実施するための形態】
【００１３】
以下、本発明の実施形態による携帯端末装置について図面を参照して説明する。
【００１４】
図１〜図１２には、本発明の第１の実施形態による携帯端末装置１が示されている。
【００１５】
図８〜図１１に示したように、第１の実施形態による携帯端末装置１は、バーコード（画像）１５にレーザー光１３を照射しバーコード（画像）１５を読み取るレーザースキャナ２０(図２）を備え、携帯端末装置１の使用時にバーコード（画像）１５へのレーザー光１３の照射方向の案内及びバーコード（画像）１５上におけるレーザー光１３の照射位置の案内となるカバー５を備え、カバー５の先端部をバーコード（画像）１５上に当接させた状態で携帯端末装置１を使用することを特徴とする。
【００１６】
携帯端末装置１は表示部として液晶部４（図１）を更に備え、カバー５は携帯端末装置１の不使用時に（図５）、液晶部４を保護する保護カバー（液晶保護カバー）として機能するものである。
【００１７】
この際、カバー５は携帯端末装置１の装置本体に回転可能に取り付けられ、カバー５は携帯端末装置１の不使用時に（図５）、カバー５を装置本体に対してカバー５が液晶部４を覆うように回転させることにより、液晶部４を保護する保護カバー（液晶保護カバー）として機能するものである。以下、カバー５を液晶保護カバー５とも称す。
【００１８】
以下、第１の実施形態による携帯端末装置１について詳細に説明する。
【００１９】
図１及び図２は携帯端末装置１の装置本体の外観を示している。
【００２０】
図１において、携帯端末装置１はタッチパネル３０と、液晶から構成される液晶部４を備えている。液晶部４は携帯端末装置１を持ち運び時に机の角にぶつけたり、物を落としたりすると破損する場合がある。保護用のカバーを実装することで、液晶部４の破損を防止することが可能となる。
【００２１】
図２において、レーザースキャナ２０からのレーザー光１３（図９〜図１１）はレーザー発光部２から照射される。
【００２２】
図３及び図４はカバー（液晶保護カバー）５の外観を示している。液晶保護カバー５には携帯端末装置１に固定するための突起８及び９や回転軸６を備えている。
【００２３】
図５は携帯端末装置１に液晶保護カバー５を実装した状態（携帯端末装置１の不使用時或いは運搬時）の外観を示している。携帯端末装置１と液晶保護カバー５は液晶保護カバー５の回転軸６を携帯端末装置１の回転軸挿入穴３に差し込むことで実装出来る。液晶保護カバー５を閉じた場合には液晶保護カバー５が容易に開かないようにするため、液晶保護カバー５の突起８と携帯端末装置１の穴１０を嵌合させることで固定される。その時、液晶保護カバー５の突起９は携帯端末装置１から離れた位置にあったり、または携帯端末装置１に逃げの穴を設ける等で携帯端末装置１と接触しない位置関係にある。液晶保護カバー５は持ち上げることで固定は解除され、回転軸６を中心に回転する。
【００２４】
図６は液晶保護カバー５を全開した状態の外観を示している。液晶保護カバー５は全開した時に液晶保護カバー５の突起９（図１）と携帯端末装置１の穴１２（図３）を嵌合させることで固定される。
【００２５】
図７は液晶保護カバー５を全開した位置で携帯端末装置１からレーザー光１３を照射させた状態の外観を示す。レーザー光１３は液晶保護カバー５の一平面に沿って照射される。液晶保護カバー５は透明材料で成形されており、レーザー光１３の照射状態が液晶保護カバー５の上方（携帯端末装置１の液晶面４側）からも確認することが可能である(図９)。
【００２６】
図８〜図１１は携帯端末装置１で一枚の用紙に多数バーコードが印刷されたバーコードシート１４のバーコード１５を読み取る状態（携帯端末装置１の使用時）を示している。図８において、液晶保護カバー５の先端部をレーザー光照射位置を示すマーク７を目安として読み取りたいバーコード１５に当接する。その状態でレーザー光１３を照射することで間違って他のバーコードの情報を読み取ることなく、簡単に必要なバーコード１５の情報を読み取ることが可能となる。
【００２７】
図１２はレーザースキャナ２０を使用せずに携帯端末装置１を運用している状態を示している。この際には、液晶保護カバー５を回転し液晶保護カバー５の突起９と携帯端末装置１の穴１１を嵌合させることで、液晶保護カバー５を立てて固定することが可能であり、奥行き方向に液晶保護カバー５が出っ張らず運用時に邪魔にならない。
【００２８】
以上説明したように、本発明においては、以下に記載するような効果を奏する。
【００２９】
第１の効果は携帯端末装置１に、レーザー光１３の照射方向及び照射位置を案内させるカバー５を備えることで、レーザー光１３をバーコードシート１４上のバーコード１５に確実に当てることが可能となる。
【００３０】
第２の効果は液晶保護カバー５に、レーザー光１３の照射方向及び照射位置を案内させるカバーの機能をもたせることで、一つの部品で「液晶保護カバー」及び「照射方向及び照射位置の案内」の二つの機能を持たせることが可能となり、ユーザーの使い勝手が向上する。
【００３１】
上記第１の実施形態による携帯端末装置１では、図１３に示すように、レーザー光１３と液晶保護カバー５の一平面とが平行である場合を説明した。なお、液晶保護カバー５の一平面とレーザー光１３とは、できるだけ近付ける（バーコード１５の縦の長さのなかに、液晶保護カバー５のバーコード１５への当接点（接触点）とレーザー光１３とが余裕をもって入ればよい）。
【００３２】
これに対して、本発明の第２の実施形態による携帯端末装置１では、図１４に示すように、レーザー光１３と液晶保護カバー５の一平面とは平行ではなく、レーザー光１３と液晶保護カバー５の一平面とはバーコード１５の先で交差する。このようにレーザー光１３が液晶保護カバー５の一平面に沿って照射されるようにしてもよい。なお、図１４の場合も、液晶保護カバー５の一平面とレーザー光１３とは、できるだけ近付ける（バーコード１５の縦の長さのなかに、液晶保護カバー５のバーコード１５への当接点（接触点）とレーザー光１３とが余裕をもって入ればよい）。
【００３３】
図１５を参照すると、本発明の第３の実施形態による携帯端末装置１が示されている。第３の実施形態による携帯端末装置１において、基本的構成は上記第１の実施形態による携帯端末装置１と同様であるが、液晶保護カバー５についてさらに工夫している。即ち、液晶保護カバー５はタッチペン保持形状１６を備えることで、タッチパネル３０（図１）の操作に必要なタッチペン１７をタッチペン保持形状１６に保持させることが可能となる。タッチペン１７を装置本体に収納できない場合に有効である。
【００３４】
なお、上述の実施形態は、レーザースキャナ２０が「一次元レーザースキャナ」である場合について説明しているが、レーザースキャナ２０を、レーザー光やＬＥＤを発光する「一次元及び二次元バーコードスキャナ」に置き換えて使用することができる。
【００３５】
以上、実施の形態を参照して本願発明を詳細に説明したが、本願発明は上記実施の形態に限定されるものではない。本願発明の構成や詳細には、本願発明のスコープ内で当業者が理解できる様々な変更をすることができる。
【符号の説明】
【００３６】
１    携帯端末装置
４    液晶部（表示部）
５    液晶保護カバー（カバー）
１３    レーザー光
１５    バーコード（画像）
２０    レーザースキャナ
【図１】
2010244138.tif 000003
【図２】
2010244138.tif 000004
【図３】
2010244138.tif 000005
【図４】
2010244138.tif 000006
【図５】
2010244138.tif 000007
【図６】
2010244138.tif 000008
【図７】
2010244138.tif 000009
【図８】
2010244138.tif 000010
【図９】
2010244138.tif 000011
【図１０】
2010244138.tif 000012
【図１１】
2010244138.tif 000013
【図１２】
2010244138.tif 000014
【図１３】
2010244138.tif 000015
【図１４】
2010244138.tif 000016
【図１５】
2010244138.tif 000017